(57)【要約】      （修正有）【課題】簡単な構成により、首輪の視認性を向上させることができる動物用発光首輪を提供する。【解決手段】動物Ｄの首に架け渡される首掛け部分１０と、前記首掛け部分１０の両端が接続されるペンダント部２０と、を備え、前記ペンダント部２０は、発光部２３と、前記首掛け部分１０及び前記発光部２３を発光させる光源と、を有している。このように、首掛け部分１０及び発光部２３を、ペンダント部２０に設けた光源によって発光する構成とすることにより、簡単な構成で首周囲を発光させて、首輪の視認性を向上させることができる。【選択図】図３
0003204461.tif 000002
【実用新案登録請求の範囲】
【請求項１】
動物の首に架け渡される首掛け部分と、
前記首掛け部分の両端が接続されるペンダント部と、を備え、
前記ペンダント部は、発光部と、
前記首掛け部分及び前記発光部を発光させる光源と、を有していることを特徴とする、動物用発光首輪。
【請求項２】
前記光源は、前記首掛け部分を発光させる第１の光源と、
前記発光部を発光させる第２の光源と、を有していることを特徴とする、請求項１に記載の動物用発光首輪。
【請求項３】
前記ペンダント部は、乾電池を収納可能な大きさに形成されていることを特徴とする、請求項１または請求項２に記載の動物用発光首輪。
【請求項４】
前記首掛け部分及び前記ペンダント部を前記動物の首から吊り下げる紐部材をさらに備え、
この紐部材は、長さ調節手段を有していることを特徴とする、請求項１〜３の何れかに記載の動物用発光首輪。
【請求項５】
前記ペンダント部には、上面部と、この上面部の両端から下方に傾斜した一対の斜面部と、が形成されており、
この一対の斜面部に、前記首掛け部分の両端部が接続されていることを特徴とする、請求項１〜４の何れかに記載の動物用発光首輪。
【考案の詳細な説明】
【技術分野】
【０００１】
本考案は、犬猫等の動物の首に装着して、この動物の首回りで発光する動物用発光首輪に関するものである。
【背景技術】
【０００２】
従来、夜間において犬猫等の動物の所在を確認するため、様々な発光首輪が提案されている（例えば、特許文献１や特許文献２参照）。
【０００３】
特許文献１に記載の猟犬、放牧動物等に用いる発光首輪は、首輪外面に所在用発光部と体勢用発光部を取付けることにより、動物の体勢が分かるように構成されている。
また、特許文献２に記載のペット用発光首輪又は胴輪は、首輪の表面全周に複数の発光体を設け、この発光体の上面から光を散乱させるシートで覆うことにより、装飾効果を向上させている。
【先行技術文献】
【特許文献】
【０００４】
【特許文献１】実公昭６３−５４７０号公報
【特許文献２】実用新案登録３０２６０１８号公報
【考案の概要】
【考案が解決しようとする課題】
【０００５】
しかしながら、特許文献１の発光首輪においては、首輪の二箇所に発光ダイオード等の発光体を設けているが、ほぼ点光源であるため、飼い主にとって視認性が高いものであるとは言い難かった。
また、特許文献２のペット用発光首輪では、首輪の全周に複数の発光体を設けることで、発光首輪の視認性を向上させているものの、発光体の数だけ配線を設ける必要があった。そのため、首輪の構成が複雑となり、加工等の製造コストが高くなってしまうという問題があった。
【０００６】
本考案は、上記実情に鑑みてなされた考案であり、簡単な構成により、首輪の視認性を向上させることができる動物用発光首輪を提供することを課題とする。
【課題を解決するための手段】
【０００７】
上記課題を解決するため、本考案に係る動物用発光首輪は、動物の首に架け渡される首掛け部分と、前記首掛け部分の両端が接続されるペンダント部と、を備え、前記ペンダント部は、発光部と、前記首掛け部分及び前記発光部を発光させる光源と、を有していることを特徴とする。
【０００８】
このように、首掛け部分及び発光部を、ペンダント部に設けた光源によって発光する構成とすることにより、簡単な構成で首輪の視認性を向上させることができる。
【０００９】
本考案の好ましい形態では、前記光源は、前記首掛け部分を発光させる第１の光源と、前記発光部を発光させる第２の光源と、を有していることを特徴とする。
このように、２種類の光源を有することにより、首掛け部分と発光部を別々の色に発光させて、首輪の視認性を向上させることができる。
【００１０】
本考案の好ましい形態では、前記ペンダント部は、乾電池を収納可能な大きさに形成されていることを特徴とする。
このように、ペンダント部を大径に形成することで、乾電池を収納可能にするとともに、電池のサイズに合わせて発光部の面積を増やして、首輪の視認性を向上させることができる。
【００１１】
本考案の好ましい形態では、前記首掛け部分及び前記ペンダント部を前記動物の首から吊り下げる紐部材をさらに備え、この紐部材は、長さ調節手段を有していることを特徴とする。
このように、首掛け部分及びペンダント部を吊り下げる紐部材を有することにより、首掛け部分が動物の毛に埋もれてしまうことを抑制して、首輪の視認性を向上させることができる。
【００１２】
本考案の好ましい形態では、前記ペンダント部には、上面部と、この上面部の両端から下方に傾斜した一対の斜面部と、が形成されており、この一対の斜面部に、前記首掛け部分の両端部が接続されていることを特徴とする。
このように、一対の斜面部を設け、この一対の斜面部に首掛け部分の両端部を接続することで、首掛け部分を動物の首に適した曲率で湾曲させることができる。
【考案の効果】
【００１３】
本考案によれば、簡単な構成により、首輪の視認性を向上させることができる動物用発光首輪を提供することができる。
【図面の簡単な説明】
【００１４】
【図１】本考案の一実施形態に係る動物用発光首輪の外観斜視図である。
【図２】本考案の一実施形態に係る動物用発光首輪の首掛け部分及びペンダント部を示す図である。
【図３】本考案の一実施形態に係る動物用発光首輪の使用状態を示す斜視図である。
【考案を実施するための形態】
【００１５】
以下、本考案を図面に示した好ましい一実施形態について図１〜３を用いて詳細に説明する。本考案の技術的範囲は、添付図面に示した実施形態に限定されるものではなく、実用新案登録請求の範囲に記載された範囲内において、適宜変更が可能である。
【００１６】
図１は、本考案に係る動物用発光首輪の外観斜視図を示しており、この動物用発光首輪は、動物Ｄの首に架け渡される首掛け部分１０と、この首掛け部分１０の両端が接続されるペンダント部２０と、この首掛け部分１０及びペンダント部２０を動物Ｄの首から吊り下げる紐部材３０と、を備えている。
【００１７】
なお、本実施形態では、Ｘ方向に沿ってペンダント部２０から首掛け部分１０に向かう方向を上方向とし、逆に、首掛け部分１０からペンダント部２０に向かう方向を下方向として上下方向を定める。
【００１８】
図２は、首掛け部分１０及びペンダント部２０の外観を示す図であり、図２（ａ）は上方から観察した平面図を、図２（ｂ）は正面から観察した正面図を、図２（ｃ）側面から観察した側面図を、それぞれ示している。
【００１９】
首掛け部分１０は、両端に接続部１１を有し、この接続部１１を介してペンダント部２０に接続されている。この首掛け部分１０は、シリコンチューブや光ファイバー等の一端側（若しくは両端側）から光が入射した際に、首掛け部分１０全体が発光する材料により形成されている。そして、ペンダント部２０内に設けられた光源（図示なし）からの光を受け付けて、首掛け部分１０全体が発光するよう構成されている。また、この首掛け部分１０は、装着する動物Ｄの首囲より長く形成されており、例えば、大型犬用のものは長く、小型犬用のものは短く設定されている。
【００２０】
ペンダント部２０は、筐体２１と蓋部材２２で構成されており、ボルトＢ等によって螺子止めされている（図２参照）。
筐体２１は、光源の光を受け付けて発光する発光部２３と、この発光部２３および首掛け部分１０に光を供給する光源（図示なし）と、この光源に電力を供給する電源（図示なし）と、光源のオンオフ動作を行うスイッチ２４と、紐部材３０を取付けるためのフック２５と、を有している。
【００２１】
筐体２１の上面には、上面部２１ａと、この上面部２１ａの両端から下方に傾斜した一対の斜面部２１ｂと、が形成されている。そして、この一対の斜面部２１ｂに、首掛け部分１０の両端が接続部１１を介して接続されている。このように斜面部２１ｂに首掛け部分１０を接続することにより、首掛け部分１０を動物Ｄの首に適した曲率で湾曲させることができる。なお、筐体２１の外形としては、一対の斜面部２１ｂが形成されていれば良く、図１〜３に示した逆三角形状に限られず、丸形状や四角形状等、任意の形状を採用することができる。
【００２２】
また、筐体２１は、乾電池を収納できる大きさに形成されていることが望ましい。このように、乾電池を収納可能なほど大きく形成することで、発光部２３を大径に形成することができ、発光部２３の視認性を向上させることができる。ここで言う乾電池とは、単１形〜単６形及び９Ｖ形のことを指す。また、この電源としては、ボタン電池等の小さな電池を採用しても良いし、乾電池等の一次電池に限られず、充電式の二次電池等を採用しても良い。
【００２３】
光源としては、発光ダイオードを例示することができる。１つの光源によって、首掛け部分１０と発光部２３を同色に発光させることもできるが、異なる色に発光する２つの光源を設けて、首掛け部分１０と発光部２３を異色に発光させることが望ましい。すなわち、ペンダント部２０には、首掛け部分１０を発光させる第１の光源と、発光部２３を発光させる第２の光源を設け、この第１の光源と第２の光源は、異なる色に発光する発光ダイオードであることが望ましい。また、２つ以上の光源を用いても良いし、ＩＣ回路等の制御装置をさらに設け、点滅点灯やグラデーション点灯等の色彩効果を付加できるように構成しても良い。
【００２４】
紐部材３０は、ペンダント部２０のフック２５に接続されており、長さ調節手段３１を有している。この紐部材３０は、首掛け部分１０と同様に、動物Ｄの首に架け渡され、長さ調節手段３１によって首掛け部分１０よりも短くすることができる。そのため、首掛け部分１０が動物の毛に埋もれてしまう場合等には、首掛け部分１０及びペンダント部２０を吊り下げて、首掛け部分１０を露出させることができる。なお、この紐部材３０を設けずに使用することも当然に可能である。また、この紐部材３０としては、紐状のものであれば当然に採用することができ、例えば、チェーン等を用いても良い。
【００２５】
本考案によれば、首掛け部分１０及び発光部２３を、ペンダント部２０に設けた光源によって発光する構成としている。そのため、大量の発光体を設けたり、その配線を行うことなく、極めて簡単な構成によって、首輪のほぼ全周を発光させることができる。これにより、首輪の視認性を向上させることができる。
【００２６】
また、本考案によれば、首掛け部分１０と、ペンダント部２０の発光部２３を発光させる構成としたことにより、さらに首輪の視認性を向上させることができる。すなわち、首掛け部分１０と発光部２３を別々の色に発光させることにより、観察者の注意を引くことができる。また、このように首掛け部分１０と発光部２３を別々の色に発光させる場合には、その色の位置から動物Ｄの体勢を把握することができる。
【００２７】
また、本考案によれば、首掛け部分１０及びペンダント部２０を吊り下げる紐部材３０を有することにより、毛の長い動物Ｄに適用した際に、首掛け部分１０が毛に埋もれてしまわないようにすることができる。
【符号の説明】
【００２８】
１０  首掛け部分
１１  接続部
２０  ペンダント部
２１  筐体
２３  発光部
３０  紐部材
Ｄ  動物
【図１】
0003204461.tif 000003
【図２】
0003204461.tif 000004
【図３】
0003204461.tif 000005